(57)【特許請求の範囲】
【請求項１】
かばんを閉じる鈎を係合し解除するためのロック用ハンドルをロックし解放するリンク部と、前記リンク部を操作するための回転つまみと、番号を合わせることにより解錠できる番号錠と、前記番号錠の施錠に応じて施錠位置に移動して前記回転つまみの回転を阻止するロックボルトと、強制解錠鍵で解錠されると前記回転つまみとの係合が解除されて回転し前記リンク部をスライドさせるシリンダー錠とを具備するかばん用センターロックにおいて、前記シリンダー錠が前記回転つまみに対して通常施錠状態と強制解錠状態との間の90度の範囲でしか回転しないように制限する回転制限機構を設け、前記シリンダー錠が通常解錠状態から過剰解錠状態方向に回転しないように前記リンク部の動きを制限するリンク制限機構を設けたことを特徴とするかばん用センターロック。
【発明の詳細な説明】
【技術分野】
【０００１】
本発明は、かばん用センターロックに関し、特に、TSA鍵で解錠できるかばん用センターロックに関する。
【背景技術】
【０００２】
従来、旅行鞄用などの錠前としてセンターロックがある。特に、TSAセンターロックは、税関で旅行鞄の内容物を検査できるように、TSA鍵で解錠できるようになっている。TSA鍵は、TSA（Transportation Security Administration: アメリカ運輸保安局）が治安維持のために保有する特別の鍵である。旅行鞄に固定されたセンターロックの番号錠の番号を解錠番号からずらすと施錠される。番号錠の番号を解錠番号に合わせてレバーを回すと、ロックが外れる。税関で検査する場合は、TSA鍵でシリンダー錠を解錠すると番号錠が無効化され、レバーを回すとロックが外れる。以下に、これに関連する従来技術の例をあげる。
【０００３】
特許文献１に開示された「操作輪付きダイヤル錠」は、操作が容易で、数字の指示も明瞭な、かばん錠に使用されるダイヤル錠である。図５（ａ）に示すように、操作輪付きダイヤル錠をセンターロックとして備えたかばん錠である。キーを用いる錠である。外周面に暗証番号用の数字を付したダイヤルがある。ダイヤルより径が大きくダイヤルと一体化されている操作輪がある。ダイヤルの数字が見える窓がある。操作輪が露出している孔がある。操作輪を付けたことにより、数字の見える窓は数字１つが見えればよく、数字の指示が明瞭になる。またダイヤルを直接操作しないので外周面を汚したり、摩滅によって数字が消えたりするおそれもない。
【０００４】
特許文献２に開示された「複合ダイヤル錠前」は、施錠された不特定多数のダイヤル錠を一つの共通の鍵で解錠するものである。図５（ｂ）に示すように、ダイヤル軸に遊嵌された複数個のダイヤルナンバーがある。止め金具を着脱する施錠板を有するダイヤル錠がある。共通の鍵でカム操作できるカムを有するシリンダー錠がある。ダイヤル錠とシリンダー錠とは、ダイヤル錠のダイヤル軸の一端がシリンダー錠のカムにカム係合できるように取り付けられている。ダイヤル錠の施錠板をダイヤルナンバーのダイヤル操作と鍵によるカム操作のいずれでも解錠状態にしてダイヤル錠を解錠する。
【０００５】
特許文献３に開示された「複合機構錠前」は、複合錠構造をもつ二重構造錠である。図５（ｃ）に示すように、キー錠には内筒と外筒がある。固定板は、外筒上の固定溝に埋め込まれている。複合錠構造には、外筒に結合された錠心棒に軸で結合された複数の複合輪がある。錠心棒の他端と錠本体の間にバネがある。内筒はパネルから突き出ている。つまみはパネルについている。摺動部材は、外筒の内溝に結合したり、内溝から分離したりするようになっている。錠心棒と複合輪の動きで、固定板と外筒が結合したり分離したりする。キーの動きが内筒を介して伝わり、結合と分離が行なわれる。
【０００６】
特許文献４に開示された「マスターキー式複合錠」は、マスターキーでかばんの中身を見るための特権機構をもつ掛金錠である。図５（ｄ）に示すように、大型収納箱などの種々の収納具や運搬具に利用できる。この掛金錠には、施錠状態を強制的に解く機構がある。回転腕が、施錠状態にし、解錠状態にする。回転腕は、マスターキーで動かされるカムで動く。錠が特権操作されたら、回転腕は回転して、摺動子が横に動き、レバーが移動する。これで解錠されて、かばんの中身を見ることができる。
【特許文献１】特開2006-225849号公報
【特許文献２】特開2006-348728号公報
【特許文献３】米国特許第6598434号明細書
【特許文献４】米国特許公開第2006/0248930号公報
【発明の開示】
【発明が解決しようとする課題】
【０００７】
しかし、従来のTSAセンターロックでは次のような問題がある。合致するTSA鍵を使用するとシリンダー錠が回転するので、通常の解錠状態でも施錠できてしまう。この状態になると、TSA鍵以外では解錠できないので、かばんの持ち主も解錠できなくなる。また、通常の解錠状態で、TSA鍵を使ってさらに解錠方向に回すと、開閉アームをロックするリンクが開状態よりさらに開方向に移動して、正常な状態から外れてしまい、もとに戻らなくなる場合がある。
【０００８】
本発明の目的は、上記従来の問題を解決して、かばん用のTSAセンターロックにおいて、TSA鍵でどのように操作しても異常状態にならないようにすることである。
【課題を解決するための手段】
【０００９】
上記の課題を解決するために、本発明では、かばんを閉じる鈎を係合し解除するためのロック用ハンドルをロックし解放するリンク部と、リンク部を操作するための回転つまみと、番号を合わせることにより解錠できる番号錠と、番号錠の施錠に応じて施錠位置に移動して回転つまみの回転を阻止するロックボルトと、強制解錠鍵で解錠されると回転つまみとの係合が解除されて回転しリンク部をスライドさせるシリンダー錠とを具備するかばん用センターロックに、シリンダー錠が回転つまみに対して通常施錠状態と強制解錠状態との間の90度の範囲でしか回転しないように制限する回転制限機構を設け、シリンダー錠が通常解錠状態から過剰解錠状態方向に回転しないようにリンク部の動きを制限するリンク制限機構を設けた
【発明の効果】
【００１０】
上記のように構成したことにより、かばん用のTSAセンターロックをTSA鍵でどのように操作しても、異常状態にならない。
【発明を実施するための最良の形態】
【００１１】
以下、本発明を実施するための最良の形態について、図１〜図４を参照しながら詳細に説明する。
【実施例】
【００１２】
本発明の実施例は、TSA鍵で解錠できるシリンダー錠は、通常解錠状態では、TSA鍵で解錠しても回転せず、通常施錠状態でTSA鍵により強制解錠しても、TSA解錠状態と通常施錠状態との間の90度の範囲でしか回転しないように、シリンダー錠の回転を制限したかばん用センターロックである。
【００１３】
図１は、本発明の実施例におけるかばん用センターロックの斜視図と側面図と断面である。図２は、かばん用センターロックの平面図と断面図と側面図である。図３は、かばん用センターロックの主要部品の斜視図や平面図や側面図である。図４は、かばん用センターロックの動作を示す説明図である。図１〜図４において、回転つまみ１は、リンク部を操作する部材である。シリンダー錠２は、強制解錠鍵で解錠できる錠である。リンク部３は、かばんのロック用ハンドルを鎖錠し開放する部材である。番号錠４は、番号を合わせることにより解錠できる錠である。
【００１４】
上記のように構成された本発明の実施例におけるかばん用センターロックの機能と動作を説明する。最初に、図１を参照しながら、かばん用センターロックの機能の概要を説明する。番号錠４の番号が合っていて、センターロックが解錠された状態では、ロック用ハンドルはリンク部３から解放されており、ロック用ハンドルを持ち上げてかばんの鈎を非係止状態にして、かばんを開けることができる。番号錠４の番号が解錠番号から変えられた施錠状態になると、ロックボルトが施錠位置に移動して、回転つまみ１が回転できないようになる。
【００１５】
この通常施錠状態で、シリンダー錠２がTSA鍵で解錠されると、回転つまみ１とシリンダー錠２の係合が解除されて、シリンダー錠２が回転できるようになる。シリンダー錠２を回転させると、シリンダー錠２に連結されたリンク部３がスライドして、ロック用ハンドルはリンク部３から解放されるので、かばんを開けることができる。シリンダー錠２の回転を制限する回転制限機構があるので、通常解錠状態では、TSA鍵で操作しても、シリンダー錠２は施錠方向には回転しない。また、リンク部３の動きを制限するリンク制限機構があるので、シリンダー錠２は過剰解錠方向にも回転しない。通常施錠状態においてTSA鍵で解錠すると、TSA解錠状態と通常施錠状態との間の90度の範囲でのみ、シリンダー錠２が回転する。
【００１６】
次に、図２を参照しながら、かばん用センターロックの構成を説明する。センターロックは、かばんの側面中央部の把手付近に取り付けられる。ケース部がかばんに埋め込まれ、パネル部が表面に出ている。パネル部には、回転つまみ１と番号錠４が操作可能に取り付けられている。番号錠４のロックボルトが回転つまみ１の回転を許可あるいは阻止するように制御している。回転つまみ１の内側に同軸状にシリンダー錠２が嵌め込まれている。回転つまみ１とシリンダー錠２は、タンブラーで係合している。シリンダー錠２は、リンク部３につながっている。リンク部３は、図示していないロック用ハンドルにつながっている。
【００１７】
次に、図３を参照しながら、かばん用センターロックの主要部品について説明する。図３（ａ）は、番号錠ユニットの斜視図である。番号錠４の番号を合わせると、ロックボルトが回転つまみ１の外筒から外れて、回転つまみ１が回転できるようになる。図３（ｂ）は、シリンダー錠２の斜視図である。シリンダー錠２は、回転つまみ１の外筒の中に回転可能に収容されている。TSA鍵でシリンダー錠２を解錠すると、タンブラーが回転つまみ１の外筒から外れて、回転できるようになる。シリンダー錠２には、リンク部３が連結されている。
【００１８】
図３（ｃ）は、回転つまみ１の外筒にある回転制限機構の平面図である。シリンダー錠２が回転つまみ１に対して90度の範囲内でのみ回転できるように、回転可能角度を制限している。シリンダー錠２の突起部が、回転つまみ１の外筒の凹部に嵌り、凹部の端で動きが制限される。図３（ｄ）は、回転つまみ１の平面図である。回転つまみ１を回転させることにより、係合しているシリンダー錠２が回転し、リンク部３を解錠位置と施錠位置の間で動かす。図３（ｅ）は、回転つまみ１の外筒の側面図である。回転つまみ１も、解錠位置と施錠位置の間の90度の範囲でしか回転できないように、回転制限機構が設けられている。
【００１９】
図３（ｆ）は、回転制限機構の概念図である。シリンダー錠２が回転つまみ１に対して90度の範囲内のみで回転するように、突起と溝を設けてある。回転つまみ１の回転範囲を制限する機構も同様である。これ以外の周知の回転制限機構を利用してもよい。図３（ｇ）は、リンク制限機構の概念図である。リンク部が施錠状態と解錠状態との間の範囲でしか動かないように、リンク部の動きを制限する。これ以外の周知の制限機構を利用してもよい。
【００２０】
次に、図４を参照しながら、かばん用センターロックの回転制限機構の動作を説明する。図４（ａ）に示すように、通常の場合は、回転つまみ１を横方向（かばんの縁に平行な方向）にした状態で解錠となる。回転つまみ１を左方向に90度回して縦方向にすると、施錠状態になる。この状態で番号錠４を解錠番号からずらすと、施錠状態に固定される。解錠する場合は、番号錠４を解錠番号に合わせて、回転つまみ１を右方向に90度回すと解錠できる。
【００２１】
図４（ｂ）に示すように、解錠状態において、TSA鍵でシリンダー錠２を解錠すると、シリンダー錠２は回転つまみ１との係合が外れて、回転できるようになる。しかし、施錠方向の左方向に回そうとしても、回転可能な90度の範囲を外れる方向であるので、回転制限機構により回転を阻止される。したがって、施錠方向には回転できず、誤って施錠されることはない。また、図４（ｃ）に示すように、さらに解錠する方向の右方向に回そうとしても、リンクが限界まで移動している状態であるので、リンク制限機構によりリンクは動けない。したがって、シリンダー錠２も回転できず、過剰解錠方向に回転させて錠前を破損することを防止できる。
【００２２】
図４（ｄ）に示すように、施錠状態において、TSA鍵でシリンダー錠２を解錠すると、シリンダー錠２は回転つまみ１との係合が外れて、回転できるようになる。シリンダー錠２を解錠方向である右方向に回すと、シリンダー錠２が90度まで回転して、強制解錠状態になる。シリンダー錠２は、この回転範囲しか回転できないように、回転制限機構で制限されているので、施錠状態から左方向に回すこともできないし、強制解錠状態からさらに右方向に回すこともできない。したがって、シリンダー錠２は、異常な方向に回すことができないので、誤操作や破損を防ぐことができる。
【００２３】
上記のように、本発明の実施例では、かばん用センターロックを、TSA鍵で解錠できるシリンダー錠は、通常解錠状態では、TSA鍵で解錠しても回転せず、通常施錠状態でTSA鍵により強制解錠しても、TSA解錠状態と通常施錠状態との間の90度の範囲でしか回転しないように、シリンダー錠の回転を制限する構成としたので、TSA鍵でどのように操作しても、異常状態にならない。
【産業上の利用可能性】
【００２４】
本発明のかばん用センターロックは、TSA鍵で解錠できるかばん用センターロックとして最適である。
【図面の簡単な説明】
【００２５】
【図１】本発明の実施例におけるかばん用センターロックの斜視図と側面図と断面図である。
【図２】本発明の実施例におけるかばん用センターロックの平面図と断面図と側面図である。
【図３】本発明の実施例におけるかばん用センターロックの主要部品の斜視図や平面図や側面図である。
【図４】本発明の実施例におけるかばん用センターロックの動作を示す説明図である。
【図５】従来のかばん用錠前の概念図である。
【符号の説明】
【００２６】
１  回転つまみ
２  シリンダー錠
３  リンク部
４  番号錠
【図１】
0005094556.tif 000002
【図２】
0005094556.tif 000003
【図３】
0005094556.tif 000004
【図４】
0005094556.tif 000005
【図５】
0005094556.tif 000006